(57)【特許請求の範囲】
【請求項１】
透明体からなる操作部と、この操作部の内側に設けた照光部とを有する操作ボタンにおいて、
前記操作部は、その表面側には立体的な文字や数字等が設けられ、その裏面側には透光部と不透光部の塗装がなされ、前記透光部は前記文字や数字等に類似した形状をなすとともに、表面側から見て前記文字や数字等を内包可能な面積になっている構成である、ことを特徴とする操作ボタン。
【請求項２】
前記不透光部の塗装は、表面側から見て読める文字が記載された塗装であることを特徴とする請求項１に記載の操作ボタン。
【発明の詳細な説明】
【０００１】
【発明の属する技術分野】
本発明は、内部にランプやＬＥＤ等の照光部を備えた操作ボタンに係り、特に文字や数字等の表示を行う操作ボタンに関するものである。
【０００２】
【従来の技術】
従来の操作ボタンとして、実開昭６０―８８４２１に記載されたものがある。この操作ボタンを図６〜図９により説明する。図６はエレベータかごの概略図、図７，図８はそれぞれ行先階呼ボタンの正面図及び断面図、図９は図８の説明図である。
【０００３】
かご内には、天井照明装置１が設けられ、ドア２側の側板３にかご操作盤４が設けられている。かご操作盤４には行先階呼ボタン５を始めドア開閉ボタン、インターホン呼ボタンなどの操作ボタンが配置されている。
この行先階呼ボタン５は、図７（ａ）の正面図、図７（ｂ）の断面図に示すように、行先階呼ボタン５が押されて呼びが登録されると点灯する応答ランプ６を内蔵している。７は透明樹脂体からなる操作部で裏面にはエッジライティング作用により応答ランプ６の光をより輝かせるための段Ａが形成されている。８は拡散透光板、９は不透光体からなる文字板で、例えば「３」のような数字や文字等が印刷されており、操作部７を介して外側から読み取れるようにしている。１１は応答ランプ６の光を反射させる反射体で、拡散透光板８と嵌合され、操作部７が操作されるとスイッチ１０を作動させる。１２はガイドである。
【０００４】
乗客が行先階呼ボタン５を押すと、操作部７，文字板９，拡散透光板８，反射体１１はガイド１２内を移動してスイッチ１０を動作させ、応答ランプ６が点灯する。このとき図７（ａ）に示すように、文字板９の周囲Ｂが「ロ」字状に光るため逆光となり、文字板９上の文字等が見にくくなるという問題があった。
【０００５】
そこで、図８に示すように操作部７の裏面に行先階の文字を彫り込んだ彫り込み文字部Ｃを設け、図９に示すように、光線Ｄを屈曲させ彫り込み文字部Ｃをエッジライティング作用により光らせる構成が考えられている。１３は文字板９に代えて配置したプレートで、文字等の印刷はない。
この構成であれば、彫り込み文字部Ｃ自体から光が出るので、図７の例に比べ文字等がより見やすくなる。
【０００６】
【発明が解決しようとする課題】
近年は、ユニバーサルデザインの思想が広がり、体の不自由な人も高齢者も健常者も区別なく同じように使いやすいものが求められている。
前記の図８、図９の操作ボタンは彫り込み文字部Ｃ自体から光が出るとはいえ、その光線Ｄは操作部７の内部を屈曲して通過しているため、光の減衰も大きい。また文字等の表示は彫り込み文字部Ｃからの光のみであるから、乗客に対するインパクトも弱いため、更なる視認性の向上が求められていた。
【０００７】
【課題を解決するための手段】
本発明は、操作部の表側には文字や数字等を設け、裏側には表側の文字や数字等に類似した形状をなし前記の文字や数字等以上の面積を持つ透光部を設ける構成にすることによって、視認性の向上を図ったものである。
また本発明は、表側の文字や数字等の全部又は一部が操作部の表面より高くなるように構成にすることにより、より視認性を向上させたものである。
更に、裏側にも文字や数字等を設けることにより、表示にめりはりを持たせ、よりわかりやすいものにした。
尚、本明細書においては、透光とは透明も含んだ意味として用いている。
【０００８】
【発明の実施の形態】
本発明の実施の形態を図により説明する。図１は行先階呼ボタンの断面図、図２は操作部の正面図及び側面図、図３は図２のIII−III断面図である。
図において、２０は透明樹脂体からなる操作部で、表側には立体的な文字や数字等２１（この例では「１」）が設けられ、裏側には透光部２２と不透光部２３の塗装２４が施されている。この透光部２２は文字や数字等２１と類似の形状をなし、文字や数字等２１を内包可能な面積になっている。２５は操作部２０に固定された枠で図７の反射体１１に相当するものである。２６はＬＥＤであり、図７と同一符号は同一のものを示している。
【０００９】
乗客がボタンの操作部２０を押すと、枠２５はガイド１２内を移動してスイッチ１０を動作させ、ＬＥＤ２６が点灯する。このとき、ＬＥＤ２６からの光は透光部２２を通って操作部２０から外に出る。そのため外側正面から見ると図２（ａ）のように文字や数字等２１の周囲の透光部２２が輝いて見えることになる。また斜めから見ると文字や数字等２１が浮き上がって見える。
【００１０】
このように、本実施形態によれば、従来に比べ視認性の高いボタンを実現できる。また操作部２０の表側と裏側に異なる形態の表示手段を施しているため、ＬＥＤ２６の点灯時のみならず消灯時においても視認性が向上する。
また、いたずら等によって表側の文字や数字２１が破損しても裏側の塗装２４が残っていれば表示内容が判別できるという効果もある。
【００１１】
図４，図５は本発明の他の実施の形態を示す図であり、図４は図２に相当する図、図５は図３に相当する図である。
この実施形態においては、文字や数字等として戸開マーク３１を設け、透光部３２は戸開マーク３１を囲む６角形とし、また不透光部３３に「ひらく」「ＯＰＥＮ」の文字３５を記載した塗装３４としている。
【００１２】
この実施形態においても、前記の実施形態と同様の効果があり、更に不透光部３３に文字３５を記載するという異なる表示方法を併用しているため表示にめりはりがあって乗客に与える印象もより強くなる。
【００１３】
前記の各実施の形態では、操作部２０の表側に立体的な文字や数字等２１，３１を設けているが、立体的にしなくても従来に比べると十分な視認性を有する。尚、操作部２０は透明樹脂体でなくても十分な透光性があれば他のものでもよい。更に表側の文字や数字等２１，３１と裏側の塗装２４，３４との色を変えることによりコントラストを変え視認性の更なる向上を図ることもできる。
【００１４】
また、不透光部２３，３３は完全な不透光である必要はなく、透光部２２，３２に比べて相対的に単位面積当たりの光透過量が少なければよい。更に透光部２２，３２は非塗装としてもよく、必要に応じて拡散透光板を使用してもよい。
更にまた、操作部２０の裏側は塗装２４，３４としているが、これに限ることはなく、透光部と不透光部を有する又は透光部をくり貫いた薄板・シートなど他の構成でもよい。
【００１５】
また本発明はエレベータのかご操作盤だけでなく、乗場押ボタンなど、応答灯を備えた他の操作ボタンにも適用することができる。
【００１６】
【発明の効果】
以上説明したように、本発明によれば、操作ボタンの視認性を高めることができるため、高齢者や弱視者にも使いやすい操作ボタンを実現することができる。
【図面の簡単な説明】
【図１】本発明の実施の形態を示す図で、行先階呼ボタンの断面図である。
【図２】本発明の実施の形態を示す図で、操作部の正面図及び側面図である。
【図３】図２のIII−III断面図である。
【図４】本発明の他の実施の形態を示す図で、操作部の正面図及び側面図である。
【図５】図４のV−V断面図である。
【図６】エレベータかごの概略図である。
【図７】従来の行先階呼ボタンの正面図及び断面図である。
【図８】従来の他の行先階呼ボタンの正面図及び断面図である。
【図９】図８の説明図である。
【符号の説明】
４  エレベータかご操作盤
５  行先階呼ボタン
７，２０  操作部
１０  スイッチ
１２  ガイド
２１  文字や数字等
２２，３２  塗装の透光部
２３，３３  塗装の不透光部
２４，３４  塗装
２５  枠
２６  ＬＥＤ
【図１】
0004010147.tif 000002
【図２】
0004010147.tif 000003
【図３】
0004010147.tif 000004
【図４】
0004010147.tif 000005
【図５】
0004010147.tif 000006
【図６】
0004010147.tif 000007
【図７】
0004010147.tif 000008
【図８】
0004010147.tif 000009
【図９】
0004010147.tif 000010